(57)【特許請求の範囲】
【請求項１】
上下に腕部を備えた断面がコ字状のダクト本体と、そのカバーとからなる配線ダクトにおいて、ダクト本体の腕部は、端部に凹部を有するとともに先端に湾曲部が形成された第１の腕板と、端部に起立片部を有する第２の腕板とを備えたものであり、またカバーは平板の上下に折り曲げ部を形成するとともに上下左右の端部に段部を形成したものであり、カバーを閉じた状態ではその段部を前記起立片部の内側に嵌り込ませるとともに折り曲げ部を前記湾曲部の外側に当てて保持させ、カバーを開いた状態では端部の折り曲げ部の先端が凹部に係合するとともに、カバーの背面を前記起立片部に当接させて脱落を防止するヒンジ構造を構成したことを特徴とする配線ダクト。
【請求項２】
カバーを上下何れの方向にも開き可能とした請求項１に記載の配線ダクト。
【請求項３】
カバーを開いた状態では端部の折り曲げ部の先端が凹部に係合し、カバーの過度の回転を防ぐ構造としたことを特徴とする請求項１または２に記載の配線ダクト。
【発明の詳細な説明】
【０００１】
【発明の属する技術分野】
本発明は、配線用の電線を収容するために主として配電盤や制御盤等の盤内に取り付けられる配線ダクトの改良に関するものである。
【０００２】
【従来の技術】
配電盤や制御盤等の盤内には、盤内の配線用の電線を収容するための配線ダクトが取り付けられている。図６、図７に示されるように、配線用ダクトは断面がコ字状のダクト本体２１とカバー２２とから構成されており、図６に示すようにカバー２２をビス２３で取り付けたり、図７に示すようにカバー２２の上下端部の屈曲部２４を形成し、ダクト本体２１に弾性的に嵌め込むようにした構造のものが知られている。
【０００３】
しかしこのような構造のものは、配線を収納する際にカバー２２を取り外す必要があるため、取り外したカバー２２を紛失したり、取り外しの際にカバー２２を落下させたりするおそれがあった。また、配線収納後に配線が外側にはみ出さないように片手で押さえながら、カバー２２をダクト本体２１に装着する作業が容易ではないという問題があった。
【０００４】
このような問題を解決するために、カバー２２を蝶番によりダクト本体２１に取り付けた構造のものもある。しかしカバー２２とダクト本体２１に蝶番の役目をする特別な部材を取り付ける必要があるため、部品点数が増え、コストを上昇させるという問題があった。またカバー２２の開き方向が制限されるという問題があった。
【０００５】
【発明が解決しようとする課題】
本発明は上記した従来の問題点を解決して、配線収納の際にもカバーを紛失したり落下させるおそれがなく、配線収納後の作業性がよく、しかも特別な部材を取り付ける必要もない配線ダクトを提供するためになされたものである。また本発明の他の目的は、カバーを上下両方向に開くことができるようにした配線ダクトを提供することである。
【０００６】
【課題を解決するための手段】
上記の課題を解決するためになされた本発明は、上下に腕部を備えた断面がコ字状のダクト本体と、そのカバーとからなる配線ダクトにおいて、ダクト本体の腕部は、端部に凹部を有するとともに先端に湾曲部が形成された第１の腕板と、端部に起立片部を有する第２の腕板とを備えたものであり、またカバーは平板の上下に折り曲げ部を形成するとともに上下左右の端部に段部を形成したものであり、カバーを閉じた状態ではその段部を前記起立片部の内側に嵌り込ませるとともに折り曲げ部を前記湾曲部の外側に当てて保持させ、カバーを開いた状態では端部の折り曲げ部の先端が凹部に係合するとともに、カバーの背面を前記起立片部に当接させて脱落を防止するヒンジ構造を構成したことを特徴とするものである。請求項２の発明は、カバーを上下何れの方向にも開き可能としたものであり、請求項３の発明は、カバーを開いた状態では端部の折り曲げ部の先端が凹部に係合し、カバーの過度の回転を防ぐ構造としたことを特徴とするものである。
【０００７】
【発明の実施の形態】
次に本発明の好ましい実施形態を説明する。
図１は本発明の配線ダクトの外観を示すものであり、１はダクト本体、２はダクト本体１の開口端を覆う金属板製のカバーである。ダクト本体１は上下方向に延びる金属製の基板３とその上下から水平方向に延びる樹脂製の腕部７，７とを備え、垂直断面がコ字状となっている。図１に示すように、腕部７にはＵ字状の多数の凹部４が設けられ、それらの間に可撓性の第１の腕板５が形成されているとともに、両端部には腕板５よりも長い第２の腕板６が形成されている。
【０００８】
第２の腕板６の端部には、直角に起立する起立片部１２が設けられている。上側の起立片部１２は下向きに、下側の起立片部１２は上向きに起立されており、その外面は傾斜面であるが、内面は垂直面となっている。また各起立片部１２の側方には止め部１３が一体に形成されている。一方、カバー２は平板の上下に折り曲げ部９、９を形成したものであるが、その上下左右の端部は図示のように段状に切欠かれて、第１段部１４と第２段部１５とが形成されている。
【０００９】
カバー２を閉じた状態では、カバー２の第１段部１４は、図５に示すように第２の腕板６の先端に形成された起立片部１２の内側に嵌り込む。またその左右方向の動きは、カバー２の第１段部１４と第２段部１５との間の垂直部が、前記の止め部１３に当たることによって防止されている。また図３に示すように、カバー２の上下端部の折り曲げ部９が湾曲部１１の外側に当たるようになっている。また第１の腕板５の端部には凹部１０が形成されており、カバー２を開いた状態ではその端部の折り曲げ部９の先端が凹部１０に入り込む。また図４に示すようにカバーの背面を前記起立片部に当接させて脱落を防止している。このように、端部に凹部１０を有する第１の腕板５とカバー２の端部の折り曲げ部９とを係合させるとともに、第２の腕板６の端部から起立する起立片部１２とカバー２の端部背面とを係合させることにより、他の部材を用いることなくダクト本体１とカバー２とにヒンジ構造が形成される。
【００１０】
上記したようにこれらの起立片部１２はダクト本体１の両端部の第２の腕板６の先端に形成されたものであるから、外力を加えて第２の腕板６を撓ませることにより、カバー２の端部との係合を容易に解除することができる。そこで、カバー２の上側両端をダクト本体１の起立片部１２から外せば、図４のようにカバー２を上開きすることができ、逆にカバー２の下側両端をダクト本体１の起立片部１２から外せば、カバー２を下開きすることができる。
【００１１】
なお、ダクト本体１の第１の腕板５の端部に設けられた凹部１０は、カバー２の端部の折り曲げ部９と係合してカバー２の過度の回転を防ぐ過回転防止フランジ８を構成する。この凹部１０の先端には湾曲部１１が形成され、全体としては数字の２を横向きにしたような断面形状となっている。そして前記したように、カバー２を取り付けた状態においては、図３に示すようにカバー２の上下端部の折り曲げ部９が湾曲部１１の外側に当たるようになっている。
【００１２】
この過回転防止フランジ８は、図４のようにカバー２を開くとその端部の折り曲げ部９の先端が凹部１０に入り込み、折り曲げ部９と凹部１０とが密着するとそれ以上カバー２を開けないようにする過回転防止機能を発揮する。またこの部分は、湾曲部１１の先端をカバー２の内面に当てることにより、カバー２がダクト本体１の内部に入らないようにする機能を持つ。前記した起立片部１２はカバー２が外側に外れないようにする構造のものであるから、この過回転防止フランジ８の部分の機能とあいまって、より完全なヒンジ構造となる。
【００１３】
上記のように構成された配線ダクトにおいては、カバー２を図２のようにダクト本体１に接近させたうえ、ダクト本体１の第２の腕板６の先端に外力を加えて撓ませ、カバー２の端部に形成された第１段部１４をダクト本体１の起立片部１２の内側に嵌込む。この状態では、カバー２の左右方向の動きは止め部１３に当たることによって防止される。またこれと同時にカバー２の端部の折り曲げ部９の先端が腕板５の先端の凹部１０に入り込み、折り曲げ部９と凹部１０とが密着係合する。このようにしてカバー２の上下とダクト本体１の上下の腕部７との間に形成されたヒンジ構造により、カバー２は対し確実に保持される。
【００１４】
また配線を収納する場合には、外力を加えてダクト本体１の上下何れかの腕部７を撓ませることにより、カバー２の端部との係合を解除すれば、カバー２は反対側のヒンジ構造により支持された状態となり、上開きまたは下開きすることができる。上開きとした場合にも過回転防止フランジ８の機能によってカバー２の過回転は防止され、カバー２は図４の状態で保持される。このためカバー２を落下させたり、紛失するおそれはない。
【００１５】
【００１６】
【発明の効果】
以上に説明したように、本発明の配線ダクトはダクト本体の腕部とカバーの端部とを係合させてヒンジ構造を形成させたので、従来のような特別な部材を用いることなく、カバーを回転自在に保持させることができる。このためコストダウンを図ることができるうえ、配線収納の際にもカバーを紛失したり落下させるおそれがない。またカバーを容易に閉じることができるので、配線収納後の作業性がよい。さらにヒンジ構造をダクト本体の上下端部に形成すれば、カバーを上下両方向に開くことができ、腕板の先端の凹部に過回転防止フランジとしての機能を持たせれば、カバーが過度に開いて外れたりすることもない利点がある。
【図面の簡単な説明】
【図１】本発明の実施の形態を示す斜視図である。
【図２】カバーを分離した状態の側面図である。
【図３】カバーを閉じて固定した状態を示す断面図である。
【図４】カバーを開いた状態を示す断面図である。
【図５】カバーの端部と起立片部との係合状態を示す断面図である。
【図６】従来例を示す斜視図である。
【図７】他の従来例を示す斜視図である。
【符号の説明】
１  ダクト本体
２  カバー
３  基板
４  凹部
５  第１の腕板
６  第２の腕板
７  腕部
８  過回転防止フランジ
９  折り曲げ部
１０  凹部
１１  湾曲部
１２  起立片部
１３  止め部
１４  第１段部
１５  第２段部
２１  従来のダクト本体
２２  カバー
２３  ビス
２４  屈曲部
【図１】
0004007772.tif 000002
【図２】
0004007772.tif 000003
【図３】
0004007772.tif 000004
【図４】
0004007772.tif 000005
【図５】
0004007772.tif 000006
【図６】
0004007772.tif 000007
【図７】
0004007772.tif 000008